(57)【要約】  【課題】ファスナーテープからの蝶棒の脱落を防止し、またテープ先端部にほつれや傷みが生じるのを防ぐことができる防水性スライドファスナーを提供する。  【解決手段】帯状芯材表面に防水層を有する一対のファスナーテープの対向する平面的なエレメント取付縁部に沿って複数のファスナーエレメントが列設され、その一対のファスナーテープの平面的な一端部に蝶棒及び箱棒が対向して固着一体化され、前記ファスナーエレメントに挿通されたスライダーを有するとともに、前記蝶棒のテープ端側の一部側面からテープ表裏両面に延在して一体に固着された蝶棒固定部材を有する防水性スライドファスナーにあって、前記ファスナーテープの表裏面に一体に固着された前記蝶棒固着部材の端部が、前記ファスナーテープの蝶棒固着側先端面をテープ表裏面を跨いで被覆一体化してなることを特徴とする防水性スライドファスナーが提供される。  【選択図】図１
2007097840.tif 000002
【特許請求の範囲】
【請求項１】
帯状芯材の表面を被覆する防水層を有する一対の防水性ファスナーテープ(2,2')の対向する平面的なエレメント取付縁部(3)に沿って複数のファスナーエレメント(21)が列設され、その一対のファスナーテープ(2,2')の前記ファスナーエレメント(21)が存在しない平面的な一端部の表裏両面に蝶棒(9)及び箱棒(10)が対向して固着一体化され、前記ファスナーエレメント(21)に挿通されたスライダー(7)を有するとともに、前記蝶棒(9)のテープ端側の一部側面からファスナーテープ(2,2')の表裏両面に延在して一体に固着された蝶棒固定部材(12)を有する防水性スライドファスナー(1)にあって、
前記ファスナーテープ(2,2')の表裏面に一体に固着された前記蝶棒固着部材(12)の端部が、前記ファスナーテープ(2,2')の蝶棒固着側先端面をテープ表裏面を跨いで被覆一体化してなる
ことを特徴とする防水性スライドファスナー。
【請求項２】
前記蝶棒固定部材(2,2')が、テープ長さ方向において前記蝶棒(9)よりも短く形成されてなることを特徴とする請求項１記載の防水性スライドファスナー。
【請求項３】
前記ファスナーテープ(2,2')の前記蝶棒(9)と前記蝶棒固定部材(12)とが配される領域に、少なくとも１つの貫通孔(16)が形成されてなり、
前記テープ表裏面に固着された前記蝶棒(9)及び前記蝶棒固定部材(12)が、前記ファスナーテープ(2,2')の貫通孔(16)を介して設けられた連結部(28)によって表裏面間で連結されてなることを特徴とする請求項１記載の防水性スライドファスナー。
【請求項４】
前記蝶棒(9)のファスナーエレメント側の端部側の表裏両面に、前記ファスナーテープの表裏面と平行に所定の間隙を設けて外側に向けて延設された上下の板材(19a,19b)を有し、
前記上下板材(19a,19b)間の前記間隙は、前記箱棒が固着されたファスナーテープ(2')の厚さよりも大きく形成され、前記ファスナーエレメント(21)の噛合時に、前記上下板材間の間隙が前記箱棒側のファスナーテープの一部端縁を収容することを特徴とする請求項１に記載の防水性スライドファスナー。
【請求項５】
前記蝶棒(9)のファスナーエレメント側の端部に配されたファスナーテープ(2)の端部の一部が前記間隙内に突出して形成され、同間隙内に突出する長さが、前記ファスナーエレメント(21)の噛合時に、同間隙から突出するファスナーテープ(2)の端面が、対向する前記箱棒(10)を固着された側のファスナーテープ(2')の端面と密着する長さであることを特徴とする請求項４記載の防水性スライドファスナー。
【請求項６】
前記蝶棒(9)に配設する前記下側の板材(19b)が、前記蝶棒(9)のファスナーエレメント側の端部からテープ長さ方向の所定長さに渡って形成されてなることを特徴とする請求項４に記載の防水性スライドファスナー。
【請求項７】
前記蝶棒(9)のテープ端側の前記蝶棒固定部材が存在しない側面に、前記蝶棒固定部材よりも小さな脚部(20)が配設されてなることを特徴とする請求項１に記載の防水性スライドファスナー。
【発明の詳細な説明】
【技術分野】
【０００１】
本発明は、ファスナーテープがエラストマー樹脂などからなる防水層でコーティングされた防水性スライドファスナーに関し、具体的には、織成又は編成した帯状芯材の表面に防水層を形成したファスナーテープに開離嵌挿具を取り付けた防水性スライドファスナーにあって、開離嵌挿具の蝶棒がファスナーテープから脱落することを効果的に防止できる防水性スライドファスナーに関する。
【背景技術】
【０００２】
防水性スライドファスナーを製造する際には、先ず、繊維で織成又は編成した帯体を芯材として、この芯材の全面を天然ゴムや合成ゴム、或いは各種合成樹脂によるエラストマー樹脂で被覆することにより、防水層が形成されたファスナーテープを作製し、このファスナーテープの一側縁部に沿って表裏両面に跨るようにして合成樹脂製のファスナーエレメントを射出成形等により成形一体化することによって、一対のファスナーストリンガーを作製している。このような防水層が形成されたファスナーストリンガーは、例えばその表面に水が付着しても、帯状芯材に水が染み込むことを防ぐことができる。
【０００３】
また、この得られた一対のファスナーストリンガーの一方には、そのエレメント列にスライダーを挿通した後、開離嵌挿具として、ファスナーストリンガーのファスナーエレメント列の下端に連続して形成される箱棒と、同箱棒と一体成形される箱体を取り付ける。さらに、他方のファスナーストリンガーには、そのファスナーエレメント列の下端に連続するように蝶棒が取り付けられる。そして、この箱棒及び箱体を取り付けたファスナーストリンガーと、蝶棒を取り付けたファスナーストリンガーとを組み合せることにより、防水性スライドファスナーが作製される。
【０００４】
このような防水性スライドファスナーに関して、例えば特開２００５−２３７５７７号公報（特許文献１）には、ファスナーテープとファスナーエレメントとの間の固着強度とスライドファスナーの防水性能とを向上させるとともに、スライダーの摺動操作をより軽快に行うことが可能となる防水性スライドファスナーが開示されている。
【０００５】
この特許文献１に開示されている防水性スライドファスナー５０は、例えば図２１に示すように、帯状芯材に防水層を形成した一対の防水性ファスナーテープ５５の対向するエレメント取付縁部５１に沿って複数のファスナーエレメント６１が一体成形された一対のファスナーストリンガー５２と、そのファスナーエレメント６１を噛合離脱させるスライダー（不図示）とを備えた防水構造を有するスライドファスナー５０であって、以下のような特徴を有している。
【０００６】
即ち、ファスナーテープ５５に一体成形される各ファスナーエレメント６１は、噛合頭部６２、首部６３、胴部６４、肩部６５、及び胴部６４からファスナーテープ５５の内側に向けて延出する脚部６６を有し、前記噛合頭部６２、首部６３、胴部６４、肩部６５及び脚部６６は、ファスナーテープ５５の表裏面側に形成された上下半部からなり、前記半部同士は前記ファスナーテープ５５のエレメント取付縁部５１に形成された貫通孔５４を介して連結部６７により連結一体化されている。これにより、各ファスナーエレメント６１をファスナーテープ５５の所定箇所に強固に固着させることができる。
【０００７】
また、エレメント取付縁部５１の端縁５３は、ファスナーエレメント６１の首部６３を越えて延出され、また噛合頭部６２の上下半部間には間隙が形成されていて、ファスナーエレメント６１の噛合時には、対向する一対のファスナーテープ５５の端面同士が互いに密接するように構成されている。これにより、ファスナーエレメント６１を噛合した際に水等がファスナーテープ５５の表側から裏側に侵入することを防いでいる。
【０００８】
更に、特許文献１に記載の防水性スライドファスナー５０は、ファスナーエレメント６１における各肩部６５及び脚部６６の各半部が、首部６３及び胴部６４の各半部よりもファスナーテープ表裏面に直交する方向の肉厚が薄く形成されている。また、脚部６６の上下半部が、スライダーの摺動方向に所要の間隔をおいて２つ以上形成されている。
【０００９】
これにより、ファスナーエレメント６１に沿ってスライダーを摺動させる際に、スライダーの上下フランジ部はファスナーエレメント６１における脚部６６の上下半部で摺動案内されるため、スライダーのフランジ部がファスナーエレメント６１の脚部６６と摺接する摺接面積が小さくなる。その結果、スライダーの摺動操作時における摺動抵抗を低減させて、スライダーの摺動操作を軽快にすることが可能となる。更に、特許文献１によれば、前記ファスナーエレメント６１に脚部６６を設けることにより、ファスナーテープ５５に対するファスナーエレメント６１の固着強度を増大できるとしている。
【００１０】
ところで、例えば衣服等の開閉部分に一般的に用いられるような、ファスナーテープに防水層が形成されてない通常タイプの開離嵌挿具付のスライドファスナーにおいては、ファスナーテープの柔軟性が高いため、開離嵌挿具の操作、即ち蝶棒を箱体に挿入する操作が行い難い。このため、開離嵌挿具の操作の円滑化を図るために、例えばファスナーテープの開離嵌挿具近傍に補強用リブ等の補強部材を取り付けることによって、ファスナーテープの先端部を補強してテープ形態を安定化させることが知られている。
【００１１】
例えば、特開２００４−２８３２９９号公報（特許文献２）では、芯紐が織り又は編み込まれたエレメント取付縁部を有するファスナーテープを織成又は編成し、同織成又は編成された一対のファスナーテープの対向するエレメント取付縁部に沿って複数のファスナーエレメントが列設され、このファスナーエレメントにスライダーが挿通され、更に一対のファスナーテープの一端部に蝶棒、箱棒、箱体からなる開離嵌挿具が取り付けられたスライドファスナーにあって、以下のような特徴を有する開離嵌挿具付きスライドファスナーが開示されている。
【００１２】
即ち、特許文献２に記載の開離嵌挿具付きスライドファスナーは、ファスナーテープの少なくとも１面に開離嵌挿具と一体成形された補強部が設けられ、同補強部が開離嵌挿具に連接した内側部分と、同内側部分から延設した外側部分とからなり、これら内側部分と外側部分とが複数のリブによって構成されていることに特徴を有している。
【００１３】
このような開離嵌挿具付きスライドファスナーであれば、柔軟なファスナーテープの一端部が前記補強部により補強されてその形態が安定しているため、例えば開離嵌挿具の蝶棒を他方のファスナーストリンガーに設けた箱体に挿入させる際に、ファスナーテープの補強された端部を保持して、蝶棒の箱体への挿入操作を安定して行うことができる。更に、特許文献２のスライドファスナーは、ファスナーストリンガーの端部に対して折曲または捻転力が働いても、内側部分のリブが外力を有効に分散させることができ、また補強部を容易に変形させることができるため、同補強部の破損を防ぐことができるとしている。
【００１４】
一方、例えば上述した防水性スライドファスナーにおいては、ファスナーテープがエラストマー樹脂で被覆されて作製されていることにより、ファスナーテープ自体の形態が比較的安定している。このため、前記特許文献２のような複数のリブから構成される補強部やその他の補強部材等を防水性スライドファスナーの開離嵌挿具近傍に設けなくても、蝶棒の箱体への挿入操作等を安定して行うことが可能である。むしろ、補強部材等を設けてファスナーテープの剛性を高めてしまうと、却ってファスナーテープの柔軟性が大きく損なわれて、蝶棒を箱体へ挿入する際にファスナーテープを適切に変形させることができず、蝶棒の円滑な挿入操作が妨げられる恐れがあった。このため、一般的に、防水性スライドファスナーの端部には補強部材等が設けられることはなく、開離嵌挿具のみが取り付けられていた。
【特許文献１】特開２００５−２３７５７７号公報
【特許文献２】特開２００４−２８３２９９号公報
【発明の開示】
【発明が解決しようとする課題】
【００１５】
防水性スライドファスナーは、その防水性を確保するために、前述のようにファスナーテープが予めエラストマー樹脂で被覆されている。このため、ファスナーエレメントや蝶棒等の開離嵌挿具をファスナーテープのエレメント取付縁部に射出成形した際に、ファスナーテープが樹脂コーティングされてないような一般的なスライドファスナーに比べて、ファスナーエレメント等の樹脂材料がテープ内部にまで浸透しにくいことから、ファスナーエレメントや開離嵌挿具のファスナーテープへの固着強度が低くなるという問題があった。
【００１６】
また、特許文献１に記載されているような防水性スライドファスナーは、その防水性を高めるために、対向するファスナーテープのエレメント取付縁部側の端面同士が、ファスナーエレメントの噛合時に互いに密着するように構成されており、これにより、水などがスライドファスナーの表側から裏側に染み込むことを防いでいる。しかしその一方で、このような防水性スライドファスナーは、ファスナーテープの端面同士を十分に密着させるという構成上、エレメント取付縁部に芯紐が設けられていない。このため、前記特許文献１のような防水性スライドファスナーは、ファスナーエレメントをエレメント取付縁部に強固に固着させるために、前記のようにエレメント取付縁部に貫通孔を形成し、同貫通孔を介してファスナーエレメントの上下半部を連結部によって一体に固着させることが必要とされた。
【００１７】
しかし、ファスナーテープの一端部に取り付けられる蝶棒は、その形状が細長いためにファスナーテープ端縁からの蝶棒取り付け幅が狭い。その上、ファスナーテープにおける蝶棒固着側先端領域は、蝶棒を射出成形した際にファスナーテープ先端部（特に角部）が蝶棒の外面に露出しないように、その一部が予め切断されて切り落とされているため、蝶棒とファスナーテープとの接触面積（固着面積）は非常に小さいものとなっていた。
【００１８】
また、蝶棒はその肉厚も比較的薄いことから、蝶棒自体（特にファスナーテープを挟持している部位（溝））が変形しやすくなっており、また、蝶棒は、スライドファスナーの使用時にファスナーエレメントに比べて引張り応力やねじり等を受けやすい。
【００１９】
従って、エレメント取付縁部に芯紐が設けられてない防水性スライドファスナーにおいては、蝶棒の固着強度が低い上に、その使用時に蝶棒が応力やねじりを受けることによって蝶棒のファスナーテープを挟持している部位が変形して広がってしまうため、蝶棒がファスナーテープから脱落しやすいという問題があった。また、蝶棒の脱落を防ぐために、例えば蝶棒自体を大きく且つ厚肉に形成することが考えられるが、この場合、ファスナーテープの柔軟性が損なわれて、蝶棒の箱体への挿入操作を円滑に行うことができなくなることがあった。
【００２０】
更に、従来の防水性スライドファスナーは、蝶棒の挿入操作が繰り返して行なわれると、ファスナーテープの蝶棒固着側先端面がスライダーの肩口と接触したり、また、ファスナーテープの先端領域がスライダーのフランジと擦れることから、ファスナーテープに被覆した防水層が磨り減ってテープのほつれや傷みが発生し易くなり、結果として、スライドファスナーの防水性の低下を招くといった問題もあった。
【００２１】
本発明は上記問題に鑑みてなされたものであって、本発明の具体的な目的は、ファスナーテープからの蝶棒の脱落を防止するとともに、テープ先端部にほつれや傷みが生じるのを防ぎ、更に、蝶棒の箱体への挿入操作を円滑に行うことが可能な防水性スライドファスナーを提供することにある。
【課題を解決するための手段】
【００２２】
上記目的を達成するために、本発明により提供される防水性スライドファスナーは、基本的な構成として、帯状芯材の表面を被覆する防水層を有する一対の防水性ファスナーテープの対向する平面的なエレメント取付縁部に沿って複数のファスナーエレメントが列設され、その一対のファスナーテープの前記ファスナーエレメントが存在しない平面的な一端部の表裏両面に蝶棒及び箱棒が対向して固着一体化され、前記ファスナーエレメントに挿通されたスライダーを有するとともに、前記蝶棒のテープ端側の一部側面からファスナーテープの表裏両面に延在して一体に固着された蝶棒固定部材を有する防水性スライドファスナーにあって、前記ファスナーテープの表裏面に一体に固着された前記蝶棒固着部材の端部が、前記ファスナーテープの蝶棒固着側先端面をテープ表裏面を跨いで被覆一体化してなることを最も主要な特徴とするものである。
【００２３】
また、本発明における防水性スライドファスナーは、前記蝶棒固定部材が、テープ長さ方向において前記蝶棒よりも短く形成されていることが好ましい。
更に、本発明の防水性スライドファスナーは、前記ファスナーテープの前記蝶棒と前記蝶棒固定部材とが配される領域に、少なくとも１つの貫通孔が形成されてなり、前記テープ表裏面に固着させる前記蝶棒及び前記蝶棒固定部材が、前記ファスナーテープの貫通孔を介して設けられた連結部によって表裏面間で連結されていることが好ましい。
【００２４】
本発明の防水性スライドファスナーにおいては、前記蝶棒のファスナーエレメント側の端部側の表裏両面に、前記ファスナーテープの表裏面と平行に所定の間隙を設けて外側に向けて延設された上下の板材を有し、前記上下板材間の前記間隙は、前記箱棒が固着されたファスナーテープの厚さよりも大きく形成され、前記ファスナーエレメントの噛合時に、前記上下板材間の間隙が前記箱棒側のファスナーテープの一部端縁を収容することが好ましい。
【００２５】
また、前記蝶棒のファスナーエレメント側の端部に配されたファスナーテープの端部の一部が前記間隙内に突出して形成され、同間隙内に突出する長さが、前記ファスナーエレメントの噛合時に、同間隙から突出するファスナーテープの端面が、対向する前記箱棒を固着された側のファスナーテープの端面と密着する長さであることが好ましい。
【００２６】
更に、前記蝶棒の裏面に配設する前記下板が、前記蝶棒のファスナーエレメント側の端部からテープ長さ方向の所定長さに渡って形成されていることが好ましい。
更にまた、前記蝶棒のテープ端側の前記蝶棒固定部材が存在しない側面に、前記蝶棒固定部材よりも小さな脚部が配設されていることが好ましい。
【発明の効果】
【００２７】
本発明に係る防水性能を有するスライドファスナーは、ファスナーテープの平面的な一端部に固着させる蝶棒のテープ端側の一部側面から、ファスナーテープの表裏両面に蝶棒固定部材が延在して固着され、この蝶棒固着部材の端部が、テープ表裏面を跨ぐようにしてファスナーテープの蝶棒固着側先端面を被覆している。このように蝶棒固定部材をファスナーテープの蝶棒固着側先端面を跨いでテープ先端部の表裏両面に蝶棒と一体成形して固着させることにより、蝶棒及び蝶棒固定部材とファスナーテープとの固着面積を拡大して、蝶棒のファスナーテープに対する固着強度を高めることができる。更に、例え蝶棒が応力やねじりを受けた場合でも、蝶棒固着部材がファスナーテープの蝶棒固着側先端面を跨いでテープ表裏面に固着されているため、蝶棒及びテープ端部を変形させにくくすることができる。このため、防水性スライドファスナーのファスナーテープから蝶棒が脱落することを効果的に防ぐことができる。
【００２８】
即ち、前記特許文献２に記載されているような従来のスライドファスナーにおいて、開離嵌挿具と一体成形される補強部等は、前述のようにファスナーテープ端部の形態を安定化させ、開離嵌挿具の蝶棒を箱体に安定して挿入させるために設けられているが、本発明において蝶棒と一体成形される蝶棒固定部材は、ファスナーテープと蝶棒との固着強度を高めて、蝶棒のファスナーテープからの脱落を防ぐために設けられるものであって、その構成も目的も全く異なるものである。
【００２９】
更に、蝶棒固定部材は、ファスナーテープの蝶棒固着側先端面を跨ぐように設けられているため、ファスナーテープの先端部が蝶棒固定部材によって包み込まれるように保護されている。このため、蝶棒の箱体への挿入操作が繰り返し行なわれても、テープ先端部にほつれや傷みが発生することを防いで、スライドファスナーの優れた防水性能を維持することができる。
【００３０】
また、本発明の防水性スライドファスナーにおいては、蝶棒固定部材が、テープ長さ方向において蝶棒よりも短く形成されている。これにより、蝶棒の上端部から蝶棒固定部材の上端にかけて、ファスナーテープが露呈する領域が蝶棒側部側に存在する。このようにファスナーテープが露呈する領域を蝶棒固定部材の上方に設けることにより、蝶棒固定部材をテープ表裏面に固着しても、ファスナーテープの柔軟性が大きく損なわれず、ファスナーテープの変形やたわみを許容することができる。このため、蝶棒を箱体へ挿入する際にファスナーテープを適切に変形させて、蝶棒の挿入操作を容易に且つ円滑に行うことが可能となる。
【００３１】
更に、本発明の防水性スライドファスナーは、ファスナーテープの蝶棒及び蝶棒固定部材が配される領域に、少なくとも１つの貫通孔が形成されており、この貫通孔を介して、テープ表面及び裏面に設けた蝶棒及び蝶棒固定部材が連結部によって表裏間で連結一体化されている。これにより、蝶棒及び蝶棒固定部材の固着強度を一層高めることができる。
【００３２】
特に、本発明の防水性スライドファスナーは、蝶棒固定部材が蝶棒と一体成形されていることにより、前記貫通孔をファスナーテープの端部及び端縁から離れたテープ内側領域に形成することができる。即ち、例えば従来の防水性スライドファスナーでは、蝶棒固定部材が設けられてなく、また蝶棒自体も細長い形状をなしていることから、前記貫通孔をファスナーテープに形成しようとしても、テープ端部又は端縁から非常に近い位置にしか形成することができなかった。このため、蝶棒が引張り応力やねじりを受けた際に、ファスナーテープ自体が切れてしまい、蝶棒が抜け落ちやすかった。しかし、本発明は、上記のように貫通孔をファスナーテープの内側領域に形成することができるため、ファスナーテープが切れることが無く、蝶棒がファスナーテープから脱落することをより確実に防止することができる。
【００３３】
更にまた、本発明の防水性スライドファスナーは、前記蝶棒の表面に、対向する前記ファスナーテープの表面側に向けて延出する上側の板材（上板）と、前記蝶棒の裏面に、対向する前記ファスナーテープ及び前記箱棒の裏面側に向けて延出する下側の板材（下板）とが配設されており、これら上板と下板との間には所定の間隙が形成されている。これにより、箱棒側のファスナーストリンガーにおいて、エレメント列の下端に設けたファスナーエレメントからファスナーテープの端縁を延出させておき、ファスナーエレメントの噛合時には、箱棒側ファスナーテープの一部端縁を蝶棒の上板と下板との間に形成した間隙に挿入し、収容することができる。このように前記間隙に箱棒側のファスナーテープの端縁を挿入することより、ファスナーエレメントを噛合したときに対向するファスナーストリンガー間に生じる隙間を低減し、スライドファスナーの防水性能の向上を図ることができる。
【００３４】
また、前記蝶棒のエレメント側端部にはテープ挟持溝部が形成されており、このテープ挟持溝部を介してファスナーテープが上下板材の間隙内へ突出している。これにより、ファスナーエレメントを噛合したときに、ファスナーエレメントが取り付けられている領域だけでなく、蝶棒のテープ挟持溝部が形成されている領域でも、この蝶棒から突出させたファスナーテープの端面と、前記蝶棒の上板と下板との間に形成した間隙に挿入した箱棒側ファスナーテープの端面とを互いに密着させることができるため、スライドファスナーの防水性能を更に向上させることができる。
【００３５】
更に本発明では、蝶棒の裏面に、箱棒の裏面側に向けて延出する下板が、蝶棒のエレメント側端部から所定長さに渡って形成されていることにより、同下板によって水などがスライドファスナーの表側から裏側に侵入することを防ぐことができるため、防水性能のより一層の向上を図ることができる。
【００３６】
更にまた、本発明の防水性スライドファスナーは、蝶棒のテープ端側の前記蝶棒固定部材が存在しない側面に脚部が配設されている。これにより、ファスナーエレメントに挿通されたスライダーを摺動するときに、ファスナーテープ表面を被覆する防水層がスライダーのフランジとの接触により磨り減りることを防ぐことができる。また、この蝶棒のテープ端側に形成する脚部を、蝶棒固定部材よりも小さくし、間隔を開けて複数配設することにより、脚部を設けた領域のファスナーテープを剛直にすることなく、ファスナーテープを容易に変形させることができる。従って、蝶棒を箱体へ挿入する際には、ファスナーテープを適切に変形させて、蝶棒の挿入操作を容易に且つ円滑に行うことが可能となる。
【発明を実施するための最良の形態】
【００３７】
以下、本発明を実施するための最良の形態について、具体的な実施例を挙げて図面を参照しながら詳細に説明する。
ここで、図１は、本実施例に係る防水性スライドファスナーの全体を示す平面図であり、図２は蝶棒を取り付けた側のファスナーストリンガーの要部を示した斜視図であり、図８は、箱棒及びは箱体を取り付けた側のファスナーストリンガーの要部を示した斜視図である。
【００３８】
図１に示した防水性スライドファスナー１は、エラストマー樹脂がコーティングされた一対のファスナーテープ２，２’の一側縁部である平面的なエレメント取付縁部３に沿って、複数のファスナーエレメント２１が列設されてファスナーエレメント列を形成し、更にファスナーテープ２，２’のファスナーエレメント列の一端部には止部５がそれぞれ設けられて、ファスナーストリンガー６，６’が構成されている。
【００３９】
この一対のファスナーストリンガー６，６’のファスナーエレメント列には、ファスナーエレメント２１を噛合離脱させるスライダー７が挿通されている。更に、一方のファスナーストリンガー６の下端部には、ファスナーエレメント２１に連続する形で開離嵌挿具８を構成する蝶棒９が固着一体化されている。また、他方のファスナーストリンガー６’の下端部には、ファスナーエレメント２１に連続する形で開離嵌挿具８を構成する箱棒１０が固着一体化され、更にこの箱棒１０の下方部に箱体１１が成形一体化されて取り付けられている。
【００４０】
前記ファスナーテープ２，２’は、従来と同様に繊維製織物や編物からなる帯状の芯材の全面に、例えばポリプロピレン、ポリカーボネート、ポリエチレンテレフタレート、ポリブチレン、塩化ビニール、ポリアミド、高密度ポリスチレン等のような天然又は合成ゴム材料や各種の合成樹脂からなるエラストマー樹脂材料を被覆して防水層を形成することにより作製されている。
【００４１】
このファスナーテープ２，２’におけるエレメント取付縁部３には芯紐が設けられておらず、エレメント取付縁部３が平面的に形成されている。またエレメント取付縁部３の各エレメント成形部位には、それぞれファスナーエレメント２１の溶融状態にある原料樹脂が通過できる程度に十分な大きさをもつエレメント固着用貫通孔３０が形成されている。
【００４２】
ここで、先ず前記蝶棒９が固着一体化されるファスナーストリンガー６について、図２〜図７を参照しながらより具体的に説明する。
本実施例において、ファスナーテープ２のエレメント取付縁部３に列設される各ファスナーエレメント２１は、例えばポリアミド、ポリアセタール、ポリプロピレン、ポリブチレンテレフタレート等の熱可塑性合成樹脂を射出成形することによりテープ２に固着一体化されており、また、前記特許文献１の防水性スライドファスナーに採用されているファスナーエレメントと本質的に同様の構成を有している。
【００４３】
即ち、各ファスナーエレメント２１は、図３に示したように、エレメント幅方向に僅かに長い長円形状を呈する噛合頭部２２と、同噛合頭部２２に首部２３を介して連続する平面視で略六角形状を呈する胴部２４と、前記首部２３と胴部２４との間に渡って左右に延設される翼状の肩部２５と、前記胴部２４からエレメントの長さ方向に二本に分岐して延設される脚部２６とから構成されている。
【００４４】
このうち、首部２３、胴部２４、肩部２５及び脚部２６は、ファスナーテープ２のエレメント取付縁部３に密着固定されている。また、首部２３及び胴部２４のファスナーテープ表裏面に直交する方向の肉厚は最も厚く、肩部２５及び脚部２７は、首部２３及び胴部２４の１／３程度の肉厚で形成されている。このような構成を有する複数のファスナーエレメント２１が、エレメント取付縁部３に列設されていることにより、スライダーを摺動させたときに摺動抵抗を小さくして、ファスナーテープ２を傷めることなく、スライダーの摺動操作を軽快に行なうことが可能となる。
【００４５】
また、脚部２６が胴部２４から二本に分岐して延設されていることにより、ファスナーエレメント２１の射出成形時に、金型がファスナーテープ２を二本の脚部２６間に存在する隙間にて押さえて固定することができるため、テープ２に撓みを生じさせることなく、ファスナーエレメント２１をテープ２に安定して成形一体化させることができる。
【００４６】
前記ファスナーエレメント２１において、噛合頭部２２、首部２３、胴部２４、肩部２５及び脚部２６は、ファスナーテープ２を挟んでテープ表面側半部と裏面側半部とで対称的な形状に形成されている。また、ファスナーエレメント２１は、ファスナーテープ２に形成したエレメント固着用貫通孔３０を介して、テープ表面側と裏面側の胴部２４が連結部２７によって連結されており、テープ表面側半部と裏面側半部が一体に構成されている。
【００４７】
また、ファスナーテープ２のエレメント取付縁部３の端縁は、ファスナーエレメント２１の首部２３を越えて所定の長さで延出させている。更に、ファスナーテープ２のファスナーエレメント２１が存在しない平面的な一端部には、蝶棒９と、この蝶棒９の一部側面からファスナーテープ２に延在する蝶棒固着部材１２とが、ファスナーテープ２の表裏両面に固着一体化されている。これら蝶棒９及び蝶棒固着部材１２は、前記ファスナーエレメント２１と同様の熱可塑性合成樹脂を射出成形することにより、ファスナーテープ２に一体に固着されている。
【００４８】
本実施例においては、ファスナーテープ２における蝶棒９の固着側先端領域の一部分が、蝶棒９を射出成形した後にファスナーテープ２が蝶棒９の外面に露出しないようにするため、予め切断されて切り落とされている。また、ファスナーテープ２の蝶棒９及び蝶棒固着部材１２が固着される領域には、３つの固着用貫通孔１６が予め形成されており、テープ表面側及び裏面側の蝶棒９及び蝶棒固定部材１２は、３つの固着用貫通孔１６を介して設けられた連結部２８によって表裏面間で連結されている。これにより、蝶棒９及び蝶棒固着部材１２は、優れた固着強度でファスナーテープ２に固着させることができる。
【００４９】
蝶棒９と一体成形されている蝶棒固着部材１２は、ファスナーテープ２の蝶棒固着側先端面を被覆するようにテープ２の表裏面を跨いで形成されており、ファスナーテープ２の蝶棒固着側先端部は蝶棒固着部材１２によって包み込まれた状態となっている。これにより、成形一体化した蝶棒９及び蝶棒固着部材１２と、ファスナーテープ２との固着面積が広くなるため、ファスナーテープ２に対する蝶棒９及び蝶棒固着部材１２の固着強度が著しく高まり、ファスナーテープ２が応力やねじりを受けた場合でも、蝶棒９がファスナーテープ２から脱落することを防止することができる。
【００５０】
更に、このように蝶棒固着部材１２がテープ２の表裏面を跨いで形成されていれば、ファスナーテープ２の蝶棒固着側先端部が蝶棒固着部材１２で保護されて露呈することがないため、テープ２先端部にほつれや傷みが発生するのを防ぐことができるとともに、ファスナーテープ２から蝶棒固着部材１２が剥離することも防止することができる。
【００５１】
前記蝶棒固着部材１２は、図４に示すように、蝶棒９の側面から延在する肉厚の薄い薄肉部１３と、同薄肉部１３から連接したリブ１４とを有しており、また、これら薄肉部１３及びリブ１４は、テープ長さ方向において蝶棒９よりも短く形成されている。このように蝶棒固着部材１２を蝶棒９よりも短く形成することにより、蝶棒９の上端部までに渡る蝶棒固定部材１２の上方領域３６でファスナーテープ２を露呈させることができる。これにより、例えば蝶棒９を箱体１１へ挿入する際には、ファスナーテープ２の変形やたわみを許容してファスナーテープ２を適切に変形でき、蝶棒の挿入操作を容易に且つ円滑に行うことができる。
【００５２】
このとき、蝶棒固着部材１２の長さは、蝶棒９の長さの６０％以下、好ましくは５０％以下、より好ましくは４０％以下に設定する。一方、蝶棒固着部材１２のテープ幅方向の大きさは、製品の使用目的等に応じて任意に選択することができるが、蝶棒９のファスナーテープ２に対する固着強度等を考慮すると、蝶棒９の幅方向における平均的な大きさの１．５倍以上５倍以下、特に２倍以上４倍以下程度となるようにすることが好ましい。
【００５３】
また、図４に示したように、蝶棒９とリブ１４とには、それぞれファスナーテープ２まで達する円形の孔部１５が設けられているが、この孔部１５は、蝶棒９及び蝶棒固着部材１２を射出成形する際に、テープ押さえ部材がファスナーテープ２を押さえていることによって形成されたものである。更に、蝶棒固着部材１２の薄肉部１３には、２つの矩形状孔部１７が設けられている。
【００５４】
この孔部１７は、孔部１５と同じく、テープ押さえ部材がファスナーテープ２を押さえることにより形成されたものであり、矩形状に限らず円形に形成しても良い。また、孔部１７は、孔部１５に比べて大きく形成されており、これは射出成形時にテープ押さえ部材が広い面積でファスナーテープ２を押さえ、ファスナーテープ２の変位を確実に防ぐためである。
【００５５】
前記蝶棒９において、ファスナーエレメント側の端部側表面には、対向するファスナーテープ２’の表面側に向けて延出する上板１９ａが配設され、一方蝶棒９の裏面には、ファスナーテープ２’及び１０箱棒の裏面側に向けて延出する下板１９ｂとが配設されている。
【００５６】
蝶棒９に設けた上板１９ａは、ファスナーエレメント２１の噛合頭部２２及び首部２３の形状と同様の形状に形成されている。また、下板１９ｂは、蝶棒９のファスナーエレメント側端部から蝶棒９のおよそ半分の位置に渡って形成されており、更に下板１９ｂのファスナーエレメント側端部には凹部が形成されている。一方、以下で説明する箱棒１０の表面のファスナーエレメント側の端部には、蝶棒９の上板１９ａを係止するための凹部が形成されている。これにより、ファスナーエレメント２１を噛合させたときに、蝶棒９の上板１９ａ及び下板１９ｂの上端部と、箱棒側のファスナーテープ２’のエレメント列下端に固着したファスナーエレメント２１及び箱棒１０の上端部とを互いに係合させることができる。
【００５７】
この蝶棒９において、図６に示すように、上板１９ａと下板１９ｂとの間には、所定の間隙が形成されており、ファスナーエレメント２１の噛合時に、この上下板１９ａ、１９ｂ間の間隙に、対向する前記箱棒側のファスナーテープ２’の端縁が入り込めるように構成されている。また、蝶棒９において、ファスナーエレメント２１側の端部には、ファスナーテープ２を挟み込むためのテープ挟持溝部１８が形成されており、ファスナーテープ２は、このテープ挟持溝部１８を通って蝶棒９からテープ幅方向に飛び出すように延出し、ファスナーテープ２の端縁が前記上板及び前記下板間の間隙に露出するように構成されている。
【００５８】
蝶棒９の蝶棒固着部材１２が存在しないテープ端側の側面には、蝶棒９よりも肉厚の薄い脚部２０が設けられている。このような脚部２０を設けることにより、以下で詳述するように、スライダーを摺動させたときに、スライダーのフランジと接触し、スライダーのフランジがファスナーテープ２を被覆する防水層に接触する頻度を低減することができ、スライダーのフランジとの接触による防水層の磨り減りを防ぐことができる。
【００５９】
また、この脚部２０は、蝶棒固定部材１２よりも小さく、また所定の間隔を開けて複数配設されている。これにより、脚部２０を配設しても、この脚部２０を設けた領域におけるファスナーテープの柔軟性を確保することができるため、蝶棒を箱体へ挿入する際に蝶棒の挿入操作を容易に且つ円滑に行うことが可能となる。
更に、蝶棒９には段差部２９が設けられており、蝶棒９を箱体１１に挿入した際に、この段差部２９が箱体１１と当接して蝶棒９の位置決めがなされる。
【００６０】
次に、前記箱棒１０及び箱体１１が固着一体化されるファスナーストリンガー６’について、図８〜図１２を参照しながら説明する。
ファスナーストリンガー６’において、ファスナーテープ２’のエレメント取付縁部３に列設される各ファスナーエレメント２１は、前記蝶棒９を固着したファスナーストリンガー６に列設した前記ファスナーエレメント２１と同様のものであり、ファスナーテープ２’に形成したエレメント固着用貫通孔３０を介して、テープ表面側と裏面側の胴部２４が連結部２７によって連結されて、テープ表面側半部と裏面側半部が一体に構成されている。
【００６１】
また、ファスナーストリンガー６’においても、ファスナーテープ２’のエレメント取付縁部３の端縁は、ファスナーエレメント２１の首部２３を越えて所定の長さで延出させている。更に、ファスナーテープ２’のファスナーエレメント２１が存在しない一端部には、前述のようにファスナーエレメント２１に連続する形で箱棒１０が固着され、更にこの箱棒１０の下方部に箱体１１が箱棒１０と成形一体化されて取り付けられている。
【００６２】
更に、ファスナーテープ２’における箱棒１０及び箱体１１の固着側先端領域の一部分が、箱棒１０及び箱体１１の外面からファスナーテープ２’が露出しないように、予め切断されて切り落とされている。ファスナーテープ２’の箱棒１０及び箱体１１が固着される領域には、２つの固着用貫通孔１６が予め形成されており、箱棒１０及び箱体１１は、固着用貫通孔１６を介して設けられた連結部２８によってテープ表裏面間で連結されている。これにより、箱棒１０及び箱体１１は、優れた固着強度でファスナーテープ２’に固着させることができる。
【００６３】
このファスナーストリンガー６’において、厚肉に形成されている箱体１１は、図１０に示すように、ファスナーテープ２’の所定領域を安定して挟持している。このような厚肉の箱体１１は、応力やねじりを受けた場合でも変形しにくく、ファスナーテープ２’が箱体１１から外れにくいため、例えば前記蝶棒９の場合のような固着部材等を形成しなくても、箱棒１０及び箱体１１がファスナーテープ２’から脱落することを防止することができる。この箱体１１には、蝶棒９を箱体１１に挿入する際に蝶棒９を挿し込むための蝶棒差込孔３３が形成されている。なお、箱棒と箱体とを別体で成形し、後に箱棒と箱体とを溶着して一体化するものであっても良い。この場合、箱棒には蝶棒と同様な固着部材を形成することが好ましい。
【００６４】
また、箱棒１０は、図１１に示したように、箱棒１０の裏面側において、箱棒１０の蝶棒９と対向する側面側に形成される厚さの薄いくぼみ部３４と、所定の肉厚で形成される隆起部３５とが設けられている。この箱棒１０の裏面側にくぼみ部３４が設けられていることにより、以下で詳述するように、ファスナーエレメント２１の噛合時に、蝶棒９に形成した下板１９ｂを入り込ませて、箱棒１０と蝶棒９の下板１９ｂとを表裏方向で重なり合わせることができる。なお、このくぼみ部３４の幅及び長さは、蝶棒９に形成した下板１９ｂの寸法に対応して設定することができる。
【００６５】
更に、図１１に示したように、箱棒１０に設けられている孔部１５は、箱棒１０及び箱体１１をファスナーテープ２’に射出成形する際に、テープ押さえ部材がファスナーテープ２’を押さえることによって、結果的に形成されたものである。また、箱棒１０のテープ端側の側面には、肉厚の薄い脚部２０が設けられている。
【００６６】
そして、箱棒１０及び箱体１１を固着したファスナーストリンガー６’に対して、蝶棒９及び蝶棒固着部材１２を固着したファスナーストリンガー６を装着するには、先ず図１３に示すように、スライダー７を箱体７の上端面に接触するように摺動させて保持した状態にする。
【００６７】
次に、図１４（ａ）に示すように、ファスナーストリンガー６’のファスナーテープ２を撓ませながら、ファスナーストリンガー６に固着した蝶棒９をスライダー７のガイド溝３１へ挿入するとともに、蝶棒固着部材１２の薄肉部１３をスライダー７のフランジ３２間に挿入する。
【００６８】
更に引き続き、図１４（ｂ）に示すように、蝶棒９の段差部２９が箱体１１に当接するまで、蝶棒９を箱体１１の蝶棒差込孔３３へ挿入する。このとき、ファスナーストリンガー６におけるファスナーテープ２の先端部が蝶棒固定部材１２によって包み込まれるように保護されているため、例えファスナーテープ２の先端面がスライダー７の肩口に接触し、またファスナーテープの先端領域がスライダー７のフランジ３２と擦れたとしても、ファスナーテープ２の先端部にほつれや傷みが発生することを防ぐことができる。
【００６９】
また、蝶棒固着部材１２の長さが蝶棒９よりも短くされており、蝶棒固着部材１２の上方領域３６でファスナーテープ２が露呈し、更に蝶棒９の各脚部２０は所定の間隔を開けて小さく配設されているので、蝶棒９を箱体１１の蝶棒差込孔３３へ挿入する際に、図１４（ｂ）に示したように、ファスナーテープ２を容易に撓ませることができ、蝶棒９の挿入操作を容易に且つ円滑に行うことができる。
【００７０】
上記のようにして蝶棒９を箱体１１の蝶棒差込孔３３へ挿入した後、スライダー７を引き上げ摺動させることにより、図１５に示したように、ファスナーストリンガー６，６’のファスナーエレメント２１を互いに噛合させるとともに、蝶棒９の上板１９ａ及び下板１９ｂの上端部と、箱棒側のファスナーテープ２’のエレメント列下端に固着したファスナーエレメント２１と箱棒１０の上端部とを互いに係合させることができる。
【００７１】
このとき、蝶棒９及び箱棒１０にはそれぞれ脚部２０が配設されており、また各ファスナーエレメント２１にも二本に分岐した脚部２６が配設されているため、スライダー７を摺動させるとき、脚部２０、２６がスライダー７のフランジ３２と接触し、フランジ３２がファスナーテープ２と直接接触することを防ぐことができる。従って、フランジ３２がファスナーテープ２に被覆した防水層を磨り減らしたり、またファスナーテープ２を傷付けたりすることを防止でき、スライドファスナー１の防水性能低下を防ぐことができる。
【００７２】
また、上記のように対向するファスナーストリンガー６，６’のファスナーエレメント２１を噛合させることにより、ファスナーエレメント２１が列設されている領域において、ファスナーテープ２，２’のエレメント取付縁部３，３側の端面同士を互いに密着させることができる。
【００７３】
更に、本実施例では、蝶棒９のテープ挟持溝部１８を介してファスナーテープ２が蝶棒９の側面から上板１９ａと下板１９ｂとの間の間隙に延出しているため、図１６に示したように、ファスナーエレメント２１の噛合時には、蝶棒９から延出しているファスナーテープ２の端面と、これと対向するファスナーテープ２’の端面とを互いに密着させることができる。
【００７４】
更にまた、ファスナーエレメント２１を噛合させた時は、蝶棒９の裏面に配設した下板１９を、図１７に示したように箱棒１０の裏面側に形成したくぼみ部３４に入り込ませ、下板１９と箱棒１０のくぼみ部３４とを対面させることにより、下板１９と箱棒１０とが表裏方向に重なり合い、蝶棒９と箱棒１０との間に形成された隙間を塞ぐことができる。また、好適には、下板１９と箱棒１０のくぼみ部３４とを当接させ、蝶棒９と箱棒１０との間の隙間を密閉するのが良い。
【００７５】
このように本実施例の防水性スライドファスナー１は、ファスナーエレメント２１の噛合時に、ファスナーエレメント２１が列設されている領域だけでなく、蝶棒９からファスナーテープ２を延出させている領域でもファスナーテープ２，２’の端面同士を密着させるとともに、蝶棒９に配設した下板１９で蝶棒９と箱棒１０間の隙間をふさぐことができる。これにより、本実施例の防水性スライドファスナー１は、ファスナーエレメント２１の噛合時に、従来のものに比べてファスナーストリンガー６，６’間に生じる隙間を小さくし、その密着領域を拡大させることができるため、スライドファスナー１の防水性能を非常に高めることができる。
【００７６】
以上に説明したように、本実施例の防水性スライドファスナー１は、蝶棒固着部材１２を設けて蝶棒９とファスナーテープ２との固着強度を高めたため、ファスナーテープ２が応力やねじりを受けた場合でも、蝶棒９がファスナーテープから脱落することを防止できる。また、蝶棒固着部材１２が蝶棒固着側のファスナーテープ先端部を包み込むようにして保護しているため、蝶棒９の箱体１１への挿入操作が繰り返し行われても、ファスナーテープ２の先端部にほつれや傷みが発生することを防ぐことができる。更には、上述のようにスライドファスナー１の防水性能を向上できるといった優れた作用効果も得ることができる。
【００７７】
なお、上記実施例では、防水性スライドファスナーの一端部に固着される開離嵌挿具が、蝶棒、箱棒、箱体によって構成されている場合について主に説明しているが、本発明はこれに限定されるものではなく、本発明と実質的に同様の構成を有する限り多様な変更が可能である。
【００７８】
例えば、本発明は、前記実施例のように、箱体、箱棒、蝶棒から構成される通常タイプの開離嵌挿具を備えた防水性スライドファスナーだけでなく、例えば、逆開き可能な防水性スライドファスナーにも適用することができる。この逆開き可能な防水性スライドファスナーとは、例えば図１９に示したように、ファスナーテープの一端部に蝶棒及び箱棒が対向して固着一体化されるとともに、箱体が備えられずに、ファスナーエレメントに通常のスライダーの他に逆開き用スライダーが更に挿通された防水性スライドファスナーである。
【００７９】
以下、この逆開き可能な防水性スライドファスナーについて、図１９を参照しながら具体的に説明する。なお、この図１９及び以下で説明する図２０においては、前記実施例に係る防水性スライドファスナー１と同様の構成を有する部材については、同じ符合を用いて表すことによってその説明を省略することとする。
【００８０】
図１９に示した逆開き可能な防水性スライドファスナー４１は、ファスナーテープ２’の一端部に箱棒４２が固着一体化されており、箱体となる部材が形成されていない。また、対向するファスナーテープ２，２’のエレメント取付縁部に列設されたファスナーエレメント２１には、スライダー７が挿通されるとともに、同スライダー７と反対向きに配設される逆開き用スライダー４３が挿通される。これにより、スライダー７と逆開き用スライダー４３の両方でファスナーエレメント２１を噛合離脱させることができる。
【００８１】
このような逆開き可能な防水性スライドファスナー４１において、ファスナーテープ２の一端部に固着した蝶棒９の一部側面からファスナーテープ２に延在する蝶棒固着部材１２が、前記実施例と同様に、ファスナーテープ２の蝶棒固着側先端面を被覆するように跨いでファスナーテープ２の表裏両面に固着一体化されている。なお、この蝶棒固着部材１２は、テープ長さ方向において蝶棒９よりも短く形成されている。
【００８２】
これにより、逆開き可能な防水性スライドファスナー４１は、前記実施例の防水性スライドファスナー１と同様の効果を奏することができる。即ち、前記蝶棒固着部材１２を備えた逆開き可能な防水性スライドファスナー４１であれば、蝶棒９及び蝶棒固着部材１２とファスナーテープ２との固着強度が高められるため、ファスナーテープ２が応力やねじりを受けた場合でも、蝶棒９がファスナーテープから脱落することを防止できる。また、蝶棒固着部材１２が蝶棒固着側のファスナーテープ先端部を包み込むようにして保護しているため、ファスナーテープ２の先端部にほつれや傷みが発生することを防ぐことができる。
【００８３】
更に、本発明においては、逆開き可能な防水性スライドファスナーの箱棒側にも、蝶棒固着部材１２と同様の固着部材を、箱棒のテープ端側の一部側面からファスナーテープの表裏両面に延在して一体に固着させることができる。
【００８４】
例えば図２０に示したように、ファスナーテープ２’の一端部に固着した箱棒４２の一部側面からファスナーテープ２’に延在する蝶棒固着部材１２’が、ファスナーテープ２’の表裏両面に固着一体化されている。この箱棒４２と一体成形されている蝶棒固着部材１２’は、ファスナーテープ２’の箱棒固着側先端面を被覆するようにテープ２’の表裏面を跨いで形成されており、ファスナーテープ２’の箱棒固着側先端部は箱棒固着部材１２’によって包み込まれた状態となっている。
【００８５】
この蝶棒固着部材１２’は、箱棒４２の側面から延在する肉厚の薄い薄肉部１３’と、同薄肉部１３’から連接したリブ１４’とを有しており、また、これら薄肉部１３’及びリブ１４’は、テープ長さ方向において箱棒４２よりも短く形成されている。
【００８６】
即ち、逆開き可能な防水性スライドファスナーは、前述のように箱体が設けられていないため、箱棒が引張り応力やねじりを受けることにより蝶棒がファスナーテープから脱落し易くなる恐れがある。従って、図２０に示したように箱棒固着部材１２’を箱棒４２と成形一体化してテープ表裏面に固着させることにより、ファスナーテープ２’に対する箱棒４２の固着強度を著しく高めて、箱棒４２がファスナーテープ２’から脱落することを防止することができる。
【００８７】
また、箱棒固着部材１２’が箱棒固着側のファスナーテープ先端部を包み込むようにして保護しているため、ファスナーテープ２’の先端部にほつれや傷みが発生することを防ぐこともできる。
【産業上の利用可能性】
【００８８】
本発明は、ファスナーテープがエラストマー樹脂などからなる防水層でコーティングされ、一対のファスナーテープの一端部に蝶棒及び箱棒が対向して固着一体化された防水性スライドファスナーに有効に適用することができる。
【図面の簡単な説明】
【００８９】
【図１】本発明の防水性スライドファスナーの全体を示す平面図である。
【図２】蝶棒を取り付けた側のファスナーストリンガーの要部を示した斜視図である。
【図３】蝶棒を取り付けた側のファスナーストリンガーの要部を示した正面図である。
【図４】図３に示したＩＶ−ＩＶ線に沿った矢視断面図である。
【図５】図３に示したＶ−Ｖ線に沿った矢視断面図である。
【図６】図３に示したＶＩ−ＶＩ線に沿った矢視断面図である。
【図７】蝶棒を取り付けた側のファスナーストリンガーの要部を示した背面図である。
【図８】箱棒及びは箱体を取り付けた側のファスナーストリンガーの要部を示した斜視図である。
【図９】箱棒及びは箱体を取り付けた側のファスナーストリンガーの要部を示した正面図である。
【図１０】図９に示したＸ−Ｘ線に沿った矢視断面図である。
【図１１】図９に示したＸＩ−ＸＩ線に沿った矢視断面図である。
【図１２】箱棒及びは箱体を取り付けた側のファスナーストリンガーの要部を示した背面図である。
【図１３】蝶棒をスライダーに挿入する時の状態を模式的に示す模式図である。
【図１４】（ａ）は、蝶棒をスライダーに挿入した時の状態を模式的に示す模式図であり、（ｂ）は、蝶棒を箱体の蝶棒差込孔へ挿入した時の状態を模式的に示す模式図である。
【図１５】ファスナーエレメントが噛合した時の状態を模式的に示す模式図である。
【図１６】図１５に示したＸＶＩ−ＸＶＩ線に沿った矢視断面図である。
【図１７】図１５に示したＸＶＩＩ−ＸＶＩＩ線に沿った矢視断面図である。
【図１８】ファスナーエレメントが噛合した時の状態をテープ背面側から模式的に示す背面図である。
【図１９】逆開き可能な防水性スライドファスナーの構成を模式的に示す模式図である。
【図２０】逆開き可能な防水性スライドファスナーの変形例の構成を模式的に示す模式図である。
【図２１】（ａ）は、従来の防水性スライドファスナーの噛合部を中心に示す平面図であり、（ｂ）は、同防水性スライドファスナーにおけるファスナーストリンガーの１つのファスナーエレメントを拡大して示す平面図である。
【符号の説明】
【００９０】
１                防水性スライドファスナー
２，２’          ファスナーテープ
３                エレメント取付縁部
５                止具
６，６’          ファスナーストリンガー
７                スライダー
８                開離嵌挿具
９                蝶棒
１０                箱棒
１１                箱体
１２                蝶棒固着部材
１２’              箱棒固着部材
１３，１３’        薄肉部
１４，１４’        リブ
１５                孔部
１６                固着用貫通孔
１７                縫製用孔部
１８                テープ挟持溝部
１９ａ              上板
１９ｂ              下板
２０                脚部
２１                ファスナーエレメント
２２                噛合頭部
２３                首部
２４                胴部
２５                肩部
２６                脚部
２７，２８          連結部
２９                段差部
３０                エレメント固着用貫通孔
３１                ガイド溝
３２                フランジ
３３                蝶棒差込孔
３４                くぼみ部
３５                隆起部
３６                蝶棒固着部材の上方領域
４１，４１’        逆開き可能な防水性スライドファスナー
４２                箱棒
４３                逆開き用スライダー
５０                防水性スライドファスナー
５１                エレメント取付縁部
５２                ファスナーストリンガー
５３                端縁
５４                貫通孔
５５                ファスナーテープ
６１                ファスナーエレメント
６２                噛合頭部
６３                首部
６４                胴部
６５                肩部
６６                脚部
６７                連結部
【図１】
2007097840.tif 000003
【図２】
2007097840.tif 000004
【図３】
2007097840.tif 000005
【図４】
2007097840.tif 000006
【図５】
2007097840.tif 000007
【図６】
2007097840.tif 000008
【図７】
2007097840.tif 000009
【図８】
2007097840.tif 000010
【図９】
2007097840.tif 000011
【図１０】
2007097840.tif 000012
【図１１】
2007097840.tif 000013
【図１２】
2007097840.tif 000014
【図１３】
2007097840.tif 000015
【図１４】
2007097840.tif 000016
【図１５】
2007097840.tif 000017
【図１６】
2007097840.tif 000018
【図１７】
2007097840.tif 000019
【図１８】
2007097840.tif 000020
【図１９】
2007097840.tif 000021
【図２０】
2007097840.tif 000022
【図２１】
2007097840.tif 000023